(57)【要約】【課題】ワイヤハーネスをプロテクタにテープ等により固定することなくワイヤハーネスの位置ズレを防止する。【解決手段】底壁１２ａと両側壁１２ｂとを備えた断面凹形状で、内部空間にワイヤハーネスＷ／Ｈを挿通する樹脂成形品からなるプロテクタ１０であって、上記ワイヤハーネスＷ／Ｈの配索方向に間隔をあけて両側壁１２ｂより交互に挟持リブ１２ｅを突設し、上記挟持リブ１２ｅの間にワイヤハーネスＷ／Ｈを蛇行挿通させてワイヤハーネスＷ／Ｈを位置決め保持し、かつ、ワイヤハーネスＷ／Ｈに余長がある場合には上記挟持リブ１２ｅの間で複数回屈曲させて位置決め保持できる構成としている。【選択図】  図３
2004166454.tif 000002
【特許請求の範囲】
【請求項１】
底壁と両側壁とを備えた断面凹形状で、内部空間にワイヤハーネスを挿通する樹脂成形品からなるプロテクタであって、
上記ワイヤハーネスの配索方向に間隔をあけて両側壁より交互に挟持リブを突設し、上記挟持リブの間にワイヤハーネスを蛇行挿通させてワイヤハーネスを位置決め保持し、かつ、ワイヤハーネスに余長がある場合には上記挟持リブの間で複数回屈曲させて位置決め保持できる構成としていることを特徴とするワイヤハーネス用プロテクタ。
【請求項２】
上記プロテクタに挿通するワイヤハーネスは電線群にコルゲートチューブを部分的に外装し、該コルゲートチューブと電線群をテープ巻き固着していないワイヤハーネスであって、
所要位置の上記底壁および両側壁よりＵ形状としたコルゲートチューブ用の係止リブを突設し、外周面に凹凸を有する上記コルゲートチューブの凹部に上記係止リブを嵌合して該コルゲートチューブを位置決めする一方、該係止リブに近接した位置に上記挟持リブを突設し、上記コルゲートチューブの先端より引き出される電線群を上記挟持リブの間を蛇行挿通させて電線群を位置決め保持させ、上記電線群に対する上記コルゲートチューブの外装位置を設定位置に保持できる構成としている請求項１に記載のワイヤハーネス用プロテクタ。
【請求項３】
上記係止リブは上記挟持リブよりも上記プロテクタの長さ方向の端部側で、かつ、上記挟持リブの近傍に設けている請求項２に記載のワイヤハーネス用プロテクタ。
【発明の詳細な説明】
【０００１】
【発明が属する技術分野】
本発明は、ワイヤハーネス用プロテクタに関し、プロテクタに挿通するワイヤハーネスをプロテクタ内に係止するために適用するものである。
【０００２】
【従来の技術】
従来、プロテクタに挿通するワイヤハーネスをプロテクタ内に位置決めして固定するものとして、図１０に示すプロテクタ１があり、樋形状のプロテクタ１はワイヤハーネス配索方向の両端から、ワイヤハーネス配索方向にテープ巻き片２を突出させている。このプロテクタ１内にワイヤハーネスを挿通後、ワイヤハーネスとテープ巻き片２とをテープで巻き付けて、ワイヤハーネスをプロテクタ１内に位置決め保持している。（特開２００２−３０５８２５号参照）
【０００３】
また、プロテクタに挿通する電線をコルゲートチューブで外装している場合、該プロテクタの先端にコルゲートチューブの先端部を挿入し固定している。
上記固定構造は、図１１に示すように、上下一対のプロテクタ３の内周面に電線の配索方向に凹部３ａと凸部３ｂとを連続して設け、電線ｗに外装したコルゲートチューブの半周側の山部４ａと谷部４ｂを一方側のプロテクタ３の凹凸部３ａ、３ｂに嵌合した後に、蓋側となる他方のプロテクタを被せて固定し、電線ｗの配索方向にコルゲートチューブ４を位置決め固定している。（実開平６−８４７２６号参照）
【０００４】
【特許文献１】
特開２００２−３０５８２５号公報
【０００５】
【特許文献２】
実開平６−８４７２６号公報
【０００６】
【発明が解決しようとする課題】
しかしながら、上記固定構造であると、プロテクタに挿通するワイヤハーネスの位置ズレを防止するにはプロテクタもしくはコルゲートチューブの端部において、ワイヤハーネスとプロテクタもしくは電線群とコルゲートチューブをテープ等により固定する必要があり、作業性がよくない問題がある。
【０００７】
本発明は上記問題に鑑みてなされたものであり、プロテクタ内に挿通するワイヤハーネスＷ／Ｈをプロテクタ内で位置決め固定することで、ワイヤハーネスＷ／Ｈをテープ等により固定することなくワイヤハーネスＷ／Ｈの位置ズレを防止することを課題としている。
【０００８】
【課題を解決するための手段】
上記課題を解決するため、本発明は、底壁と両側壁とを備えた断面凹形状で、内部空間にワイヤハーネスを挿通する樹脂成形品からなるプロテクタであって、
上記ワイヤハーネスの配索方向に間隔をあけて両側壁より交互に挟持リブを突設し、上記挟持リブの間にワイヤハーネスを蛇行挿通させてワイヤハーネスを位置決め保持し、かつ、ワイヤハーネスに余長がある場合には上記挟持リブの間で複数回屈曲させて位置決め保持できる構成としていることを特徴とするワイヤハーネス用プロテクタを提供している。
【０００９】
上記構成とすると、ワイヤハーネスの配索方向に間隔をあけて両側壁より交互に挟持リブを突設し、上記挟持リブの間にワイヤハーネスを蛇行挿通させてワイヤハーネスを位置決め保持しているので、テープ等によりワイヤハーネスをプロテクタに固定する必要がなく、作業性を向上させることができる。
また、ワイヤハーネスに余長がある場合には上記挟持リブの間で複数回屈曲させて位置決め保持できるので、ワイヤハーネスの長さを適宜調節することができると共に、ワイヤハーネスを複数回屈曲させてプロテクタの両側壁に当接させることによりワイヤハーネスの保持力を向上させることができる。
【００１０】
上記プロテクタに挿通するワイヤハーネスが電線群にコルゲートチューブを部分的に外装し、該コルゲートチューブと電線群をテープ巻き固着していないワイヤハーネスの場合、所要位置の上記底壁および両側壁よりＵ形状としたコルゲートチューブ用の係止リブを突設し、外周面に凹凸を有する上記コルゲートチューブの凹部に上記係止リブを嵌合して該コルゲートチューブを位置決めする一方、該係止リブに近接した位置に上記挟持リブを突設し、上記コルゲートチューブの先端より引き出される電線群を上記挟持リブの間を蛇行挿通させて電線群を位置決め保持させ、上記電線群に対する上記コルゲートチューブの外装位置を設定位置に保持できる構成としている。
また、上記係止リブは上記挟持リブよりも上記プロテクタの長さ方向の端部側で、かつ、上記挟持リブの近傍に設けている。
【００１１】
上記構成とすると、コルゲートチューブ用の係止リブをコルゲートチューブの谷部に嵌合して、コルゲートチューブの長さ方向を位置決めすると共に、ワイヤハーネス係止リブの突設位置でワイヤハーネスを蛇行させて、ワイヤハーネスもプロテクタに位置決め固定しているので、ワイヤハーネスを位置決めするために、コルゲートチューブの端部にテープ等によりワイヤハーネスを固定する必要がなくなり、作業性を向上させることができる。
【００１２】
【発明の実施の形態】
以下、本発明の実施の形態を図面を参照して説明する。
図１乃至図３は、本発明の第１実施形態を示す。
図１に示すように、プロテクタ１０は蓋１１とプロテクタ本体１２とからなり、プロテクタ本体１２は底壁１２ａと側壁１２ｂとからなる樋形状とし、蓋１１は上壁１１ａと側壁１１ｂとからなる樋形状としている。プロテクタ本体１２の側壁１２ｂ外面に枠状のロック部１２ｆを設けると共に、蓋１１の側壁１１ｂ外面にロック爪１１ｄを突設して、プロテクタ本体１２と蓋１１とをロック結合している。
【００１３】
図２に示すように、プロテクタ本体１２の両側壁１２ｂから、ワイヤハーネスＷ／Ｈを位置決め保持する挟持リブ１２ｅを突設している。該挟持リブ１２ｅはワイヤハーネスＷ／Ｈの配索方向に交互に２つ突設して、図３に示すように、挟持リブ１２ｅの突設位置で上記ワイヤハーネスＷ／Ｈを蛇行させて、ワイヤハーネスＷ／Ｈをプロテクタ本体１２に係止して、位置決め保持している。
【００１４】
上記構成とすると、ワイヤハーネスＷ／Ｈを位置決め保持するための挟持リブ１２ｅの突設位置でワイヤハーネスＷ／Ｈを蛇行させて、プロテクタ本体１２に位置決め固定しているので、ワイヤハーネスＷ／Ｈをプロテクタ本体１２に位置決め保持するために、プロテクタ１０の端部にテープ等によりワイヤハーネスＷ／Ｈを固定する必要がなくなり、作業性を向上させることができる。
【００１５】
なお、上記第１実施形態では挟持リブを２つ突設しているが、３つ以上設けてもよく、これによりワイヤハーネスの保持力をさらに高めることができる。
また、上記第１実施形態のワイヤハーネスでは、電線群に外装材を取り付けずにプロテクタ本体に係止しているが、電線群にＰＶＣ（ポリ塩化ビニル）チューブを外装したワイヤハーネスをプロテクタ本体に挿通して係止してもよい。
【００１６】
図４は、上記第１実施形態の変形例を示し、ワイヤハーネスＷ／Ｈに余長が生じている場合を示している。
上記第１実施形態と同様のプロテクタ本体１２内にワイヤハーネスＷ／Ｈを挿入し、挟持リブ１２ｅ間で２度屈曲させて、該挟持リブ１２ｅ間でワイヤハーネスＷ／Ｈの余長を吸収している。
【００１７】
上記構成とすると、ワイヤハーネスＷ／Ｈの長さを適宜調節することができると共に、ワイヤハーネスＷ／Ｈを屈曲させてプロテクタ本体１２の両側壁１２ｅに当接させることによりワイヤハーネスＷ／Ｈの保持力を高めることができる。
【００１８】
図５乃至図９は、本発明の第２実施形態を示す。
図５に示すように、プロテクタ１０’は蓋１１’とプロテクタ本体１２’とからなり、プロテクタ本体１２’のロック部１２ｆ’と蓋１１’のロック爪１１ｄ’により、プロテクタ本体１２’と蓋１１’とをロック結合している。
【００１９】
図６に示すように、プロテクタ本体１２’の内周面には、電線を引き出す側の端部近傍に、コルゲートチューブ２０の長さ方向に山部２０ａに相当する間隔をあけて、コルゲートチューブ用の係止リブ１２ｃ’を突設している。係止リブ１２ｃ’は断面Ｕ形状とし、側壁１２ｂ’の上端部まで延在させると共に、コルゲートチューブ２０の谷部２０ｂに嵌合する高さ及び幅に設定している。
また、係止リブ１２ｃ’の間には、側壁１２ｂ’内周面の係止リブ１２ｃ’の上端より若干下方位置から係止爪１２ｄ’を内側に向けて突設している。係止爪１２ｄ’の上面を下方傾斜させると共に下面を上方傾斜させて断面Ｖ形状としている。
【００２０】
また、プロテクタ本体１２’の端末から係止リブ１２ｃ’の突設位置よりも離れた箇所に上記第１実施形態と同様の挟持リブ１２ｅ’を突設している。
【００２１】
上記プロテクタ本体１２’の上面開口を閉鎖する蓋１１’の上壁１１ａ’の内面には、図７に示すように、押さえ突起１１ｃ’を突設している。この押さえ突起１１ｃ’の先端面は円弧状とし、該押さえ突起１１ｃ’を蓋１１’の幅方向の中央位置、かつ、上記係止リブ１２ｃ’の間に対向する位置に設けている。
【００２２】
図８に示すように、プロテクタ１０’に挿通するワイヤハーネスＷ／Ｈ’は、電線群Ｗに山部２０ａと谷部２０ｂを連続してなるコルゲートチューブ２０を部分的に外装したものからなる。
このコルゲートチューブ２０の先端をプロテクタ１０’の先端部に挿入して固定すると共に、ワイヤハーネスＷ／Ｈ’をプロテクタ１０’に固定する工程を、以下に説明する。
【００２３】
まず、プロテクタ本体１２’にコルゲートチューブ２０を上方から挿入し、コルゲートチューブ２０の下側周面の谷部２０ｂをコルゲートチューブ用の係止リブ１２ｃ’に嵌合させて、コルゲートチューブ２０をプロテクタ本体１２’内に押し込む。この時、コルゲートチューブ２０は係止爪１２ｄ’を乗り越え、コルゲートチューブ２０の上側外周面の山部２０ａに係止爪１２ｄ’が押し当てられ、コルゲートチューブ２０は係止リブ１２ｃ’により長さ方向が位置決めされると共に、浮き上がりは係止爪１２ｄ’により防止される。
【００２４】
次いで、コルゲートチューブ２０のプロテクタ本体１２’内に係止する側の端部から引き出された電線群Ｗをプロテクタ本体１２’に上方から挿入し、ワイヤハーネス用の係止リブ１２ｅ’の突設位置で電線群Ｗを蛇行させて、電線群Ｗをプロテクタ本体１２’に位置決め固定している。
【００２５】
次いで、蓋１１’をプロテクタ本体１２’に被せ、蓋１１’のロック爪１１ｄ’をプロテクタ本体１２’のロック部１２ｅ’に挿入係止してロック結合している。このとき、蓋１１’に突設した押さえ突起１１ｃ’でコルゲートチューブ２０の上側外周面を押圧して、コルゲートチューブ２０をプロテクタ本体１２’内に位置決め固定している。
【００２６】
上記構成とすると、コルゲートチューブ用の係止リブ１２ｃ’をコルゲートチューブ２０の谷部２０ｂに嵌合して、コルゲートチューブ２０の長さ方向を位置決めすると共に、ワイヤハーネス用の挟持リブ１２ｃ’の突設位置で電線群Ｗを蛇行させて、電線群Ｗもプロテクタ本体１２’に位置決め固定しているので、電線群Ｗを位置決めするために、コルゲートチューブ２０の端部にテープ等により電線群Ｗを固定する必要がなくなり、作業性を向上させることができる。
【００２７】
また、係止リブ１２ｃ’に挟まれた位置に突設した係止爪１２ｄ’をコルゲートチューブ２０の外周面に押し当てることにより、コルゲートチューブ２０が上方に抜け出ることが防止でき、コルゲートチューブ２０を確実に位置決め保持することができる。
【００２８】
なお、本実施形態においても、上記第１実施形態の変形例と同様、電線群に余長が生じた場合、ワイヤハーネス用の挟持リブ間で電線群を複数回屈曲させて、ワイヤハーネスの長さを調節することができる。
【００２９】
【発明の効果】
上記構成とすると、プロテクタ本体の両側壁よりワイヤハーネスの配索方向に間隔をあけて交互に挟持リブを突設し、挟持リブの間にワイヤハーネスを蛇行挿通させてワイヤハーネスを位置決め保持しているので、テープ等によりワイヤハーネスをプロテクタに固定する必要がなく、作業性を向上させることができる。
また、ワイヤハーネスに余長がある場合には上記挟持リブの間で複数回屈曲させて位置決め保持できるので、ワイヤハーネスの長さを適宜調節することができると共に、ワイヤハーネスを複数回屈曲させてプロテクタの両側壁に当接させることによりワイヤハーネスの保持力を向上させることができる。
【００３０】
また、電線群にコルゲートチューブを部分的に外装する場合、プロテクタ本体の両側壁から突設するコルゲートチューブ用の係止リブをコルゲートチューブの谷部に嵌合して、コルゲートチューブの長さ方向を位置決めすると共に、ワイヤハーネス用の挟持リブの突設位置で電線群を蛇行させて、電線群もプロテクタに位置決め固定しているので、コルゲートチューブの端部にテープ等により電線群を固定する必要がなくなり、作業性を向上させることができる。
【図面の簡単な説明】
【図１】本発明の第１実施形態を示す斜視図である。
【図２】プロテクタ本体を示し、（Ａ）は斜視図、（Ｂ）は平面図である。
【図３】ワイヤハーネスをプロテクタ本体に位置決め固定している状態を示す平面図である。
【図４】本発明の第１実施形態の変形例を示す平面図である。
【図５】本発明の第２実施形態を示す斜視図である。
【図６】プロテクタ本体を示し、（Ａ）は斜視図、（Ｂ）は平面図、（Ｃ）は正面図である。
【図７】蓋を示し、（Ａ）は斜視図、（Ｂ）は平面図、（Ｃ）は正面図である。
【図８】ワイヤハーネスをプロテクタ本体に位置決め固定している状態を示し、（Ａ）は平面図、（Ｂ）は正面図である。
【図９】プロテクタにコルゲートチューブを位置決め固定している状態を示す正面図である。
【図１０】従来例を示す図面である。
【図１１】他の従来例を示す図面である。
【符号の説明】
１０  プロテクタ
１１  蓋
１２  プロテクタ本体
１２ｃ  係止リブ
１２ｄ  係止爪
１２ｅ  挟持リブ
２０  コルゲートチューブ
Ｗ  電線群
Ｗ／Ｈ  ワイヤハーネス
【図１】
2004166454.tif 000003
【図２】
2004166454.tif 000004
【図３】
2004166454.tif 000005
【図４】
2004166454.tif 000006
【図５】
2004166454.tif 000007
【図６】
2004166454.tif 000008
【図７】
2004166454.tif 000009
【図８】
2004166454.tif 000010
【図９】
2004166454.tif 000011
【図１０】
2004166454.tif 000012
【図１１】
2004166454.tif 000013